(57)【要約】【課題】  電子ビューファインダ機能実行中の省電力を図りつつ、シャッタの露出精度を安定させること。【解決手段】  電力を用いて走行前の初期位置に保持される先幕及び後幕を含むメカニカルシャッタを有し、撮像素子を用いて画像を撮像し、電子ビューファインダ機能を有する撮像装置におけるメカニカルシャッタの制御方法であって、電子ビューファインダ機能を実行するために、撮像素子が露出するように、先幕を走行すると共に後幕を初期位置に保持し、電子ビューファインダ機能実行中に、前記後幕を保持するための電力の電圧を降圧し、静止画の撮影が指示された場合、撮影の為に設定されたシャッタ秒時が予め設定された時間よりも短い場合に、後幕を保持するための電力の電圧を昇圧し、撮像素子をリセットしてからシャッタ秒時経過後に撮像素子を遮光するように前記後幕を走行する。【選択図】  図７
2008158087.tif 000002
【特許請求の範囲】
【請求項１】
電力を用いて走行前の初期位置に保持される先幕及び後幕を含むメカニカルシャッタを有し、撮像素子を用いて画像を撮像し、電子ビューファインダ機能を有する撮像装置における前記メカニカルシャッタの制御方法であって、
前記電子ビューファインダ機能を実行するために、前記撮像素子が露出するように、前記先幕を走行すると共に前記後幕を前記初期位置に保持する露出工程と、
前記電子ビューファインダ機能実行中に、前記後幕を保持するための電力の電圧を降圧する降圧工程と、
前記電子ビューファインダ機能実行中に静止画の撮影が指示された場合、撮影の為に設定されたシャッタ秒時が予め設定された時間よりも短い場合に、前記後幕を保持するための電力の電圧を昇圧する昇圧工程と、
前記撮像素子をリセットし、前記シャッタ秒時経過後に前記撮像素子を遮光するように前記後幕を走行する撮像工程と
を有することを特徴とする制御方法。
【請求項２】
前記シャッタ秒時が予め設定された時間よりも長い場合に、前記昇圧工程を行わずに前記撮像工程を行うことを特徴とする請求項１に記載の制御方法。
【請求項３】
前記電子ビューファインダ機能を実行せずに静止画の撮影が指示された場合に、前記昇圧工程を行わずに前記撮像工程を行うことを特徴とする請求項１または２に記載の制御方法。
【請求項４】
電力を用いて走行前の初期位置に保持される先幕及び後幕を含むメカニカルシャッタを有し、撮像素子を用いて画像を撮像し、電子ビューファインダ機能を有する撮像装置における前記メカニカルシャッタの制御方法であって、
前記電子ビューファインダ機能を実行するために、前記撮像素子が露出するように、前記先幕を走行すると共に前記後幕を前記初期位置に保持する露出工程と、
前記電子ビューファインダ機能実行中に、前記後幕を保持するための電力の電圧を降圧する降圧工程と、
前記電子ビューファインダ機能実行中に静止画の撮影が指示された場合、撮影の為に設定されたシャッタ秒時が予め設定された時間よりも短い場合に、前記降圧工程で降圧された電圧に基づいて前記シャッタ秒時を補正する補正工程と、
前記撮像素子をリセットし、前記補正工程で補正されたシャッタ秒時経過後に前記撮像素子を遮光するように前記後幕を走行する撮像工程と
を有することを特徴とする制御方法。
【請求項５】
前記撮像工程における前記後幕の走行にかかる走行時間は前記電力の電圧に応じて変化し、前記補正工程では、前記電圧の差による走行時間の差を補償するように前記シャッタ秒時を補正することを特徴とする請求項４に記載の制御方法。
【請求項６】
前記撮像工程における前記後幕の走行にかかる走行時間は、前記電子ビューファインダ機能の実行時間に応じて変化し、前記補正工程では、前記電子ビューファインダ機能の実行時間による走行時間の差を補償するように前記シャッタ秒時を補正することを特徴とする請求項４または５に記載の制御方法。
【請求項７】
前記撮像工程における前記後幕の走行にかかる走行時間は、前記後幕を前記初期位置に保持する回路の温度に応じて変化し、前記補正工程では、前記温度の差による走行時間の差を補償するように前記シャッタ秒時を補正することを特徴とする請求項４乃至６のいずれか１項に記載の制御方法。
【請求項８】
前記シャッタ秒時が予め設定された時間よりも長い場合に前記補正工程を行わず、前記撮像素子をリセットし、補正されていない前記シャッタ秒時経過後に前記撮像素子を遮光するように前記後幕を走行する工程を更に有することを特徴とする請求項４乃至７のいずれか１項に記載の制御方法。
【請求項９】
前記電子ビューファインダ機能を実行せずに静止画の撮影が指示された場合に、前記補正工程を行わずに前記撮像工程を行うことを特徴とする請求項４乃至８のいずれか１項に記載の制御方法。
【請求項１０】
前記メカニカルシャッタは、フォーカルプレーンシャッタであって、前記電力の供給を止めることにより、前記先幕及び前記後幕を走行させることを特徴とする請求項１乃至９のいずれか１項に記載の制御方法。
【請求項１１】
電子ビューファインダ機能を有する撮像装置であって、
画像を撮影するための撮像素子と、
電力を用いて走行前の初期位置に保持される先幕及び後幕を含むメカニカルシャッタと、
前記メカニカルシャッタを制御するためのシャッタ制御手段とを有し、
前記シャッタ制御手段は、前記電子ビューファインダ機能を実行するために、前記撮像素子が露出するように、前記先幕を走行すると共に前記後幕を前記初期位置に保持し、前記電子ビューファインダ機能実行中に、前記後幕を保持するための電力の電圧を降圧し、前記電子ビューファインダ機能実行中に静止画の撮影が指示された場合、撮影の為に設定されたシャッタ秒時が予め設定された時間よりも短い場合に、前記後幕を保持するための電力の電圧を昇圧し、前記撮像素子のリセット後、前記シャッタ秒時経過後に前記撮像素子を遮光するように前記後幕を走行するように前記メカニカルシャッタを制御することを特徴とする撮像装置。
【請求項１２】
前記シャッタ秒時が予め設定された時間よりも長い場合に、前記シャッタ制御手段は、前記電圧の昇圧を行わないように制御することを特徴とする請求項１１に記載の撮像装置。
【請求項１３】
前記シャッタ制御手段は、前記電子ビューファインダ機能を実行せずに静止画の撮影が指示された場合に、前記後幕を保持するための電力の電圧を昇圧せずに、前記撮像素子のリセット後、前記シャッタ秒時経過後に前記撮像素子を遮光するように前記後幕を走行するように前記メカニカルシャッタを制御することを特徴とする請求項１１または１２に記載の撮像装置。
【請求項１４】
電子ビューファインダ機能を有する撮像装置であって、
画像を撮影するための撮像素子と、
電力を用いて走行前の初期位置に保持される先幕及び後幕を含むメカニカルシャッタと、
前記メカニカルシャッタを制御するためのシャッタ制御手段とを有し、
前記シャッタ制御手段は、前記電子ビューファインダ機能を実行するために、前記撮像素子が露出するように、前記先幕を走行すると共に前記後幕を前記初期位置に保持し、前記電子ビューファインダ機能実行中に、前記後幕を保持するための電力の電圧を降圧し、前記電子ビューファインダ機能実行中に静止画の撮影が指示された場合、撮影の為に設定されたシャッタ秒時が予め設定された時間よりも短い場合に、前記降圧された電圧に基づいて前記シャッタ秒時を補正し、前記撮像素子のリセット後、前記補正されたシャッタ秒時経過後に前記撮像素子を遮光するように前記後幕を走行するように前記メカニカルシャッタを制御することを特徴とする撮像装置。
【請求項１５】
前記撮像素子のリセット後、前記後幕の走行にかかる走行時間は前記電力の電圧に応じて変化し、前記シャッタ制御手段は、前記電圧の差による走行時間の差を補償するように前記シャッタ秒時を補正することを特徴とする請求項１４に記載の撮像装置。
【請求項１６】
前記撮像素子のリセット後、前記後幕の走行にかかる走行時間は、前記電子ビューファインダ機能の実行時間に応じて変化し、前記シャッタ制御手段は、前記電子ビューファインダ機能の実行時間による走行時間の差を補償するように前記シャッタ秒時を補正することを特徴とする請求項１４または１５に記載の撮像装置。
【請求項１７】
前記撮像素子のリセット後、前記後幕の走行にかかる走行時間は、前記後幕を前記初期位置に保持する回路の温度に応じて変化し、前記シャッタ制御手段は、前記温度の差による走行時間の差を補償するように前記シャッタ秒時を補正することを特徴とする請求項１４乃至１６のいずれか１項に記載の撮像装置。
【請求項１８】
前記シャッタ秒時が予め設定された時間よりも長い場合に前記シャッタ秒時の補正を行わず、前記シャッタ制御手段は、前記撮像素子のリセット後、補正されていない前記シャッタ秒時経過後に前記撮像素子を遮光するように前記後幕を走行するように前記メカニカルシャッタを制御することを特徴とする請求項１４乃至１７のいずれか１項に記載の撮像装置。
【請求項１９】
前記シャッタ制御手段は、前記電子ビューファインダ機能を実行せずに静止画の撮影が指示された場合に、前記降圧された電圧に基づいて前記シャッタ秒時を補正せずに、前記撮像素子のリセット後、前記補正されたシャッタ秒時経過後に前記撮像素子を遮光するように前記後幕を走行するように前記メカニカルシャッタを制御することを特徴とする請求項１４乃至１８のいずれか１項に記載の撮像装置。
【請求項２０】
前記メカニカルシャッタは、フォーカルプレーンシャッタであって、前記電力の供給を止めることにより、前記先幕及び前記後幕を走行させることを特徴とする請求項１１乃至１９のいずれか１項に記載の撮像装置。
【発明の詳細な説明】
【技術分野】
【０００１】
本発明は、カメラ用フォーカルプレーンシャッタ装置などのメカニカルシャッタの制御方法及びメカニカルシャッタを具備する撮像装置に関する。
【背景技術】
【０００２】
従来、シャッタチャージ状態にて、シャッタの先幕及び後幕のそれぞれに対応した電磁石に通電することによりその状態を保持し、順次、電磁石の通電を解除することで露光を行うダイレクト保持タイプのフォーカルプレーンシャッタが知られている。（例えば、特許文献１参照。）
【０００３】
このダイレクト保持タイプのフォーカルプレーンシャッタにおいて、電磁石への通電電圧を変化させて、電力低減を図るものが特許文献２に記載されている。
【０００４】
また、ＣＣＤやＣＭＯＳセンサ等の撮像素子を備えるカメラにおいて、先幕がシャッタ開口を開いた状態で後幕を保持することで、ＬＣＤ等のモニタで被写体を観察する（以下、「電子ビューファインダ（ＥＶＦ）機能」と呼ぶ。）ことが特許文献３及び特許文献４に開示されている。
【０００５】
さらに、一眼レフタイプのデジタルカメラには、フォーカルプレーンシャッタ（以下、「メカニカルシャッタ」と呼ぶ。）と電子シャッタを併用して撮像動作を行うものがある（例えば、特許文献５参照）。このシャッタでは、後幕をメカニカルシャッタで構成し、後幕の走行に先行して、電子シャッタにより撮像素子の画素のリセット走査を行う（以下、「ハイブリッドシャッタ」と呼ぶ。）。この撮像素子のリセット走査（電荷蓄積開始走査）は、後幕のメカニカルシャッタの走行特性に合わせた走査パターンにより行われる（例えば、特許文献４参照）。
【０００６】
【特許文献１】実公平６−２６８９５号公報
【特許文献２】特開２００５−２８３８９７号公報
【特許文献３】特開２００１−２１５５５５号公報
【特許文献４】特開２００１−２３２２０号公報
【特許文献５】特開平１１−４１５２３号公報（段落番号００４４〜００５０、図１〜図３等）
【発明の開示】
【発明が解決しようとする課題】
【０００７】
しかしながら、特許文献３、特許文献４で開示されたようなＥＶＦ機能を有する撮像装置において、特許文献１に開示されているようなフォーカルプレーンシャッタを用いると、以下のような問題が生じる。即ち、モニタ表示中は後幕保持電磁石に通電し続けなければならず、電力を無駄に消費してしまうだけでなく、電磁石の発熱により電磁石の離反タイミングが変化してしまい、露出精度が落ちてしまう。
【０００８】
また、特許文献２に開示されているようなフォーカルプレーンシャッタを用いると、電磁石の発熱は抑えられるが、低電圧状態では電磁石の吸着力が不安定なため、高速秒時撮影を行うと切りムラが発生してしまう。従って、特許文献２のフォーカルプレーンシャッタの制御方法を用いるのは、切りムラがほとんど無視できるレベルになる比較的低速秒時の時にするのが好ましい。また、高速秒時撮影においては、電圧を切り替える時間的余裕が少ないため、実際に特許文献２を適用できるのは低速秒時においてのみである。
【０００９】
次に、一眼レフカメラのように、撮影レンズからの入射光をファインダ光学系へと導くための反射ミラーをフォーカルプレーンシャッタの前面に有し、ファインダから被写体を観察できる撮像装置について考える。ここでは撮像装置が、メカニカルシャッタの先幕と後幕を組み合わせた通常撮影と、ＥＶＦ実行中に電子先幕とメカニカルシャッタの後幕を用いてハイブリッドシャッタ撮影の両方を行うことができるものとする。
【００１０】
このとき、高速秒時の撮影では、前述の理由から通常撮影では図１２に示すような電圧制御を行って電圧低減を行わないことが好ましい。一方、ＥＶＦ実行中の撮影では、省電力、コイル発熱抑制のために特許文献２に開示されているような駆動方法を適用するのが好ましい（図１４に示すタイムチャート）。しかし、ＥＶＦ実行中の撮影で、図１４に示す電圧低減を行うと、切りムラが大きくなってしまうと同時に、光学ファインダを用いた撮影とＥＶＦ実行中の撮影では、露出にも差が出てしまう。これは以下の理由による。
【００１１】
電磁石は自己誘導起電力を発生するため、コイル電圧をカットした直後にアマチャとヨークが離反するわけではなく、図１５に示すように離反までにタイムラグを持つ。このタイムラグは、図１５のＴＨ、ＴＬで示すように、高電圧では長く、低電圧では短くなる。そのため、同じ高速秒時にもかかわらず（図１２と図１４のＴ１が同じにもかかわらず）、通常撮影時と、図１４に示すような電圧制御をしたＥＶＦ実行中の撮影時とで露出に差が出てしまうのである。
【００１２】
本発明は上記問題点を鑑みてなされたものであり、電子ビューファインダ機能実行中の省電力を図りつつ、シャッタの露出精度を安定させることを目的とする。
【課題を解決するための手段】
【００１３】
上記目的を達成するために、電力を用いて走行前の初期位置に保持される先幕及び後幕を含むメカニカルシャッタを有し、撮像素子を用いて画像を撮像し、電子ビューファインダ機能を有する撮像装置における前記メカニカルシャッタの本発明の制御方法は、前記電子ビューファインダ機能を実行するために、前記撮像素子が露出するように、前記先幕を走行すると共に前記後幕を前記初期位置に保持する露出工程と、前記電子ビューファインダ機能実行中に、前記後幕を保持するための電力の電圧を降圧する降圧工程と、前記電子ビューファインダ機能実行中に静止画の撮影が指示された場合、撮影の為に設定されたシャッタ秒時が予め設定された時間よりも短い場合に、前記後幕を保持するための電力の電圧を昇圧する昇圧工程と、前記撮像素子をリセットし、前記シャッタ秒時経過後に前記撮像素子を遮光するように前記後幕を走行する撮像工程とを有する。
【００１４】
また、電子ビューファインダ機能を有する本発明の撮像装置は、画像を撮影するための撮像素子と、電力を用いて走行前の初期位置に保持される先幕及び後幕を含むメカニカルシャッタと、前記メカニカルシャッタを制御するためのシャッタ制御手段とを有し、前記シャッタ制御手段は、前記電子ビューファインダ機能を実行するために、前記撮像素子が露出するように、前記先幕を走行すると共に前記後幕を前記初期位置に保持し、前記電子ビューファインダ機能実行中に、前記後幕を保持するための電力の電圧を降圧し、前記電子ビューファインダ機能実行中に静止画の撮影が指示された場合、撮影の為に設定されたシャッタ秒時が予め設定された時間よりも短い場合に、前記後幕を保持するための電力の電圧を昇圧し、前記撮像素子のリセット後、前記シャッタ秒時経過後に前記撮像素子を遮光するように前記後幕を走行するように前記メカニカルシャッタを制御する。
【００１５】
また、上記目的を達成するために、電力を用いて走行前の初期位置に保持される先幕及び後幕を含むメカニカルシャッタを有し、撮像素子を用いて画像を撮像し、電子ビューファインダ機能を有する撮像装置における前記メカニカルシャッタの本発明の他の制御方法は、前記電子ビューファインダ機能を実行するために、前記撮像素子が露出するように、前記先幕を走行すると共に前記後幕を前記初期位置に保持する露出工程と、前記電子ビューファインダ機能実行中に、前記後幕を保持するための電力の電圧を降圧する降圧工程と、前記電子ビューファインダ機能実行中に静止画の撮影が指示された場合、撮影の為に設定されたシャッタ秒時が予め設定された時間よりも短い場合に、前記降圧工程で降圧された電圧に基づいて前記シャッタ秒時を補正する補正工程と、前記撮像素子をリセットし、前記補正工程で補正されたシャッタ秒時経過後に前記撮像素子を遮光するように前記後幕を走行する撮像工程とを有する。
【００１６】
また、電子ビューファインダ機能を有する本発明の別の撮像装置は、画像を撮影するための撮像素子と、電力を用いて走行前の初期位置に保持される先幕及び後幕を含むメカニカルシャッタと、前記メカニカルシャッタを制御するためのシャッタ制御手段とを有し、前記シャッタ制御手段は、前記電子ビューファインダ機能を実行するために、前記撮像素子が露出するように、前記先幕を走行すると共に前記後幕を前記初期位置に保持し、前記電子ビューファインダ機能実行中に、前記後幕を保持するための電力の電圧を降圧し、前記電子ビューファインダ機能実行中に静止画の撮影が指示された場合、撮影の為に設定されたシャッタ秒時が予め設定された時間よりも短い場合に、前記降圧された電圧に基づいて前記シャッタ秒時を補正し、前記撮像素子のリセット後、前記補正されたシャッタ秒時経過後に前記撮像素子を遮光するように前記後幕を走行するように前記メカニカルシャッタを制御する。
【発明の効果】
【００１７】
本発明によれば、電子ビューファインダ機能実行中の省電力を図りつつ、シャッタの露出精度を安定させることが可能となる。
【発明を実施するための最良の形態】
【００１８】
以下、添付図面を参照して本発明を実施するための最良の形態を詳細に説明する。ただし、本形態において例示される構成部品の寸法、形状、それらの相対配置などは、本発明が適用される装置の構成や各種条件により適宜変更されるべきものであり、本発明がそれらの例示に限定されるものではない。
【００１９】
●撮像システムの構成
図１は、本発明の実施の形態における撮像システムの概略構成を示すブロック図である。図１に示すように、本実施の形態の撮像システムは、主にカメラ本体１００と、交換レンズタイプのレンズユニット３００により構成されている。
【００２０】
カメラ本体１００には、図１に示すように、カメラ本体１００に着脱自在であって、焦点距離可変機構および焦点合わせ機構（不図示）を有する交換レンズタイプのレンズユニット３００が取り付けられている。
【００２１】
レンズユニット３００において、３１０は光学レンズ、３１２は絞りである。３０６はレンズユニット３００をカメラ本体１００と機械的に結合するレンズマウントであり、レンズマウント３０６と、後述するカメラ本体１００のカメラマウント１０６とは、例えばフランジ形状等の互いに結合可能な形状をしている。このレンズマウント３０６とカメラマウント１０６が結合することにより、カメラ本体１００にレンズユニット３００が装着される。
【００２２】
また、レンズユニット３００のレンズ信号接点３２２がカメラ本体１００のカメラ信号接点１２２と接触することで、レンズユニット３００とカメラ本体１００は電気的に接続される。レンズ信号接点３２２は、カメラ本体１００とレンズユニット３００との間で制御信号、状態信号、データ信号などを伝え合うと共に、各種電圧の電流を供給されるあるいは供給する機能も備えている。また、レンズ信号接点３２２は電気通信のみならず、光通信、音声通信などを伝達する構成としても良い。
【００２３】
３４０は、後述する測光制御部４６からの測光情報に基づいて、後述するカメラ本体１００のシャッタ１２を制御するシャッタ制御部４０と連携しながら、絞り３１２を制御する絞り制御部である。３４２は焦点調節動作のために光学レンズ３１０の焦点距離可変機構の制御をするフォーカス制御部である。
【００２４】
３５０はレンズユニット３００全体を制御するレンズシステム制御回路である。レンズシステム制御回路３５０は、動作用の定数、変数、プログラムなどを記憶するメモリを備えている。更に、レンズユニット３００固有の番号などの識別情報、管理情報、開放絞り値や最小絞り値、焦点距離などの機能情報、現在や過去の各設定値などを保持する不揮発メモリも備えている。
【００２５】
絞り制御部３４０、フォーカス制御部３４２、レンズシステム制御回路３５０は、Ｉ／Ｆ３２０及びレンズ信号接点３２２を介して、カメラ本体１００と相互に通信を行うことができる。カメラ本体１００では、レンズ着脱検知回路１２４によりレンズユニット３００の着脱が検知される。
【００２６】
次に、カメラ本体１００の構成について説明する。
【００２７】
１０６はカメラ本体１００とレンズユニット３００を機械的に結合するレンズマウント、１２４はレンズ着脱検知回路であり、レンズ着脱検知回路１２４によりレンズユニット３００の着脱が検知され、検知信号が後述するシステム制御回路５０に入力される。１３０、１３２はミラーで、光学レンズ３１０に入射した光線を一眼レフ方式によって光学ファインダ１０４に導く。なお、ミラー１３０は回転可能に配設されたクイックリターンミラーの構成としても、ハーフミラーの構成としても、どちらでも構わないが、ここではクイックリターンミラーであるものとして説明する。クイックリターンミラー１３０は、ミラーダウン状態（図１の状態）で光学レンズ３１０を通過した光（以下、「入射光」と呼ぶ。）を上方へ反射する。そして、入射光はミラー１３２を介して被写体像を確認するための光学ファインダ１０４へと導かれる。なお、ミラー１３２の代わりに、ペンタプリズムにより構成しても良い。
【００２８】
また、ミラーアップ状態（不図示）では、入射光はクイックリターンミラー１３０に反射されることなく、シャッタ制御部４０によって制御されるメカニカルシャッタ１２を介して撮像素子１４の方へと導かれる。このように、クイックリターンミラー１３０は入射光の経路を切り替える働きをする。なお、ミラー１３０を固定式のハーフミラーで構成した場合、入射光は分光されて、ミラー１３２と撮像素子１４の方へそれぞれ導かれる。
【００２９】
撮像素子１４は、その撮像面に結像された光学像を電気信号に変換して出力する。１６は、撮像素子１４から出力されるアナログ信号をデジタル信号（以下、「画像データ」と呼ぶ。）に変換するＡ／Ｄ変換器である。１８は撮像素子１４、Ａ／Ｄ変換器１６、Ｄ／Ａ変換器２６にそれぞれクロック信号や制御信号を供給するタイミング発生回路であり、メモリ制御回路２２及びシステム制御回路５０により制御される。
【００３０】
撮像素子１４から出力された電気信号は、Ａ／Ｄ変換器１６により画像データに変換された後に、画像処理回路２０またはメモリ制御回路２２に入力される。画像処理回路２０は、Ａ／Ｄ変換器１６からの画像データまたはメモリ制御回路２２からの画像データに対して、例えば、画素補間処理や色変換処理等の所定の画像処理を施す。
【００３１】
メモリ制御回路２２は、Ａ／Ｄ変換器１６、タイミング発生回路１８、画像処理回路２０、画像表示メモリ２４、Ｄ／Ａ変換器２６、メモリ３０、圧縮伸長回路３２を制御する。また、メモリ制御回路２２は、Ａ／Ｄ変換器１６から直接入力された画像データをメモリ３０または画像表示メモリ２４に書き込む処理を行うとともに、メモリ３０または画像表示メモリ２４から画像データを読み出す処理を行う。
【００３２】
２４は画像表示メモリ、２８はＴＦＴ方式のＬＣＤ等から成る画像表示部であり、画像表示メモリ２４には画像表示部２８に表示するための画像データが書き込まれる。そしてこの表示用の画像データを画像表示メモリ２４から読み出し、Ｄ／Ａ変換器２６を介して画像表示部２８に表示する。画像表示部２８を用いて、撮像した画像データを逐次表示することで、電子ビューファインダ（ＥＶＦ）機能を実現することができる。また、画像表示部２８は、システム制御回路５０の指示により任意に表示をＯＮ／ＯＦＦすることが可能であり、表示をＯＦＦにした場合にはカメラ本体１００の電力消費を大幅に低減することができる。
【００３３】
メモリ３０は撮像した画像データを格納するためのメモリであり、所定枚数の画像データを格納可能な十分な記憶容量を有し、また、システム制御回路５０の作業領域としても使用される。
【００３４】
３２は適応離散コサイン変換（ＡＤＣＴ）等、公知の圧縮方法を用いて画像データを圧縮伸長する圧縮伸長回路である。圧縮伸長回路３２は、メモリ３０に格納された画像を読み込んで圧縮処理或いは伸長処理を行い、処理を終えたデータを再びメモリ３０に書き込む。
【００３５】
５０はカメラ本体１００全体を制御するシステム制御回路であり、周知のＣＰＵなどを内蔵する。システム制御回路５０は、メモリ５２に格納されているプログラム、定数および変数データなどに従いカメラ本体１００全体を制御する。
【００３６】
このシステム制御回路５０による制御の１つに、スルー・ザ・レンズ（ＴＴＬ）のオートフォーカス（ＡＦ）処理、自動露出（ＡＥ）処理、フラッシュプリ発光（ＥＦ）処理の各処理に用いられる制御信号を生成するものがある。この制御により生成された各制御信号はシャッタ制御部４０、焦点調節部４２、測光制御部４６、フラッシュ４８に供給される。
【００３７】
焦点調節部４２は、システム制御回路５０からの制御信号に基づき、被写体像を合焦させるための信号を発生する。そして、この信号がシステム制御回路５０、Ｉ／Ｆ１２０、各信号接点１２２、３２２、Ｉ／Ｆ３２０を介してフォーカス制御部３４２に送られ、合焦状態になるように光学レンズ３１０の焦点合わせ機構を駆動する。
【００３８】
測光制御部４６は、入射光の強さを測定する。システム制御回路５０は測光制御部４６により測定された測光値を基に露光時間と絞り値を決定し、各制御信号をシャッタ制御部４０と絞り制御部３４０に送信する。このシステム制御回路５０からの制御信号に基づいて、シャッタ制御部４０がメカニカルシャッタ１２による露光時間を調整し、絞り制御部３４０が絞り３１２を制御することにより、露光量が制御される。更に、電子シャッタを用いて露光量を制御する場合には、タイミング発生回路１８を制御して撮像素子１４をリセット走査する。
【００３９】
フラッシュ４８は、ＡＦ補助光の投光機能、フラッシュ調光機能を有し、システム制御回路５０からの制御信号に基づいて対応する光量のフラッシュ光を発光する。
【００４０】
また、システム制御回路５０は、設定された撮影モードや動作状態などの情報や、メッセージを通知部５４を介して通知するための制御を行う。この通知部５４は、文字、画像、音声などを用いて動作状態やメッセージなどを通知できるように、液晶表示装置（ＬＣＤ）、発音素子、発光ダイオード（ＬＥＤ）などのうち、１つ以上の組み合わせにより構成されている。また、通知部５４の一部は光学ファインダ１０４内に組み込まれている。
【００４１】
通知部５４のうち、ＬＣＤに表示される内容としては、以下のものがある。まず、単写／連写撮影表示、セルフタイマ表示等、撮影モードに関する表示がある。また、圧縮率表示、記録画素数表示、記録枚数表示、残撮影可能枚数表示等の記録に関する表示がある。また、シャッタスピード表示、絞り値表示、露出補正表示、フラッシュ表示、赤目緩和表示等の撮影条件に関する表示がある。その他に、マクロ撮影表示、ブザー設定表示、時計用電池残量表示、電池残量表示、エラー表示、複数桁の数字による情報表示、記録媒体２００及び２１０の着脱状態表示がある。更に、レンズユニット３００の着脱状態表示、通信Ｉ／Ｆ動作表示、日付・時刻表示、外部コンピュータとの接続状態を示す表示等も行われる。
【００４２】
また、通知部５４の表示内容のうち、光学ファインダ１０４内に表示するものとしては、例えば、以下のものがある。合焦表示、撮影準備完了表示、手振れ警告表示、フラッシュ充電表示、フラッシュ充電完了表示、シャッタスピード表示、絞り値表示、露出補正表示、記録媒体書き込み動作表示等である。
【００４３】
さらに、通知部５４の表示内容のうち、ＬＥＤ等により表示するものとしては、例えば、以下のものがある。合焦表示、撮影準備完了表示、手振れ警告表示、フラッシュ充電表示、フラッシュ充電完了表示、記録媒体書き込み動作表示、マクロ撮影設定通知表示、二次電池充電表示等である。
【００４４】
また、通知部５４の表示内容のうち、ランプ等に表示するものとしては、例えば、セルフタイマ通知ランプ等がある。このセルフタイマ通知ランプはＡＦ補助光と共用してもよい。
【００４５】
さらに、システム制御回路５０は、通信部１１０を介して外部装置との間で画像データを送受するための制御を行う。この通信部１１０は、ＲＳ２３２Ｃ、ＵＳＢ、ＩＥＥＥ１３９４、ＳＣＳＩ、ＬＡＮ、モデム、無線通信などによる通信機能を有し、通信部１１０には外部装置を接続するためのコネクタ（無線通信の場合にはアンテナ）１１２が備えられている。
【００４６】
システム制御回路５０に対する動作指示の入力には、モードダイアル６０、シャッタスイッチ６２、操作部７０、電源スイッチ７６が用いられる。
【００４７】
６０はモードダイアルで、自動撮影モード、プログラム撮影モード、シャッタ速度優先撮影モード、絞り優先撮影モード、マニュアル撮影モード、焦点深度優先（デプス）撮影モード等の各機能撮影モードを切り替え設定することができる。他に、ポートレート撮影モード、風景撮影モード、接写撮影モード、スポーツ撮影モード、夜景撮影モード、パノラマ撮影モードなどの各機能撮影モードを切り替え設定することもできる。
【００４８】
シャッタスイッチ６２はスイッチＳＷ１とスイッチＳＷ２とからなる多段スイッチである。シャッタスイッチ６２を所定量押し下げると（例えば半押し）スイッチＳＷ１がオン動作し、さらにシャッタスイッチ６２を押し下げると（例えば全押し）スイッチＳＷ２がオン動作する。スイッチＳＷ１のオン動作により、ＡＦ処理、ＡＥ処理、ＥＦ処理などの開始を指示する信号が出力される。また、スイッチＳＷ２のオン動作により撮像素子１４から読み出した信号を画像データとして記録媒体２００、２１０に書き込むまでの、露光処理、現像処理、及び記録処理からなる一連の撮影動作の開始を指示する信号が出力される。まず、露光処理では、クイックリターンミラー１３０をアップし、メカニカルシャッタ１２を駆動し、撮像素子１４において光電変換された信号を読み出し、読み出した信号をＡ／Ｄ変換器１６、メモリ制御回路２２を介して画像データをメモリ３０に書き込む。そして、現像処理では画像処理回路２０やメモリ制御回路２２において演算を用いた現像処理を行い、処理した画像データを再びメモリ３０に書き込む。更に、記録処理では、メモリ３０から画像データを読み出し、圧縮伸長回路３２で圧縮を行い、圧縮後の画像データを記録媒体２００あるいは２１０に書き込む。
【００４９】
操作部７０は、各種ボタンやダイアルなどから構成されている。一例として、メニューボタン、セットボタン、再生ボタン、消去ボタン、ジャンプボタン、露出補正ボタン、単写／連写モード切替ボタン、測光モード切替ボタンを含む。更に、ＡＦモード切替ボタン、ＷＢモード切替ボタン、ＩＳＯ感度設定ボタン、メイン電子ダイアル、サブ電子ダイアルなども設けられている。ここで、例えばメニューボタンが押下されると、通知部５４に設定画面が表示され、この設定画面上で上記ボタン等を用いて設定する項目を選択することができる。
【００５０】
モードダイアル６０や操作部７０などで設定された変数、モードなどは、ＥＥＰＲＯＭなどからなる不揮発性メモリ５６に格納される。
【００５１】
また、操作部７０に含まれる標準設定状態設定部を操作することで、使用者が所望の設定状態（撮影モード、露出補正値、単写／連写モード、測光モード、ＡＦモード、ＷＢモード、ＩＳＯ感度等の設定状態）を標準設定状態として設定することができる。このカメラの標準設定状態データは、不揮発性メモリ５６に格納される。
【００５２】
７２は電源スイッチであり、カメラ本体１００の電源オン、電源オフの各モードを切り替え設定することができる。また、カメラ本体１００に接続されたレンズユニット３００、外部フラッシュ、記録媒体２００、２１０等の各種付属装置の電源オン、電源オフの設定も合わせて切り替え設定可能である。
【００５３】
システム制御回路５０には、電源制御部８０から電力が供給される。電源制御部８０はシステム制御回路５０からの指示に基づき電源８６からの電力を各部へ供給する。電源制御部８０と電源８６とは、接点８２、８４を介して接続されている。電源８６としては、例えば、アルカリ電池等の一次電池、リチウムイオン電池やニッケル水素電池等の二次電池、ＡＣアダプタなどを使用することができる。
【００５４】
メモリ３０に書き込まれた画像データ（圧縮後の画像データ）は、各インターフェース（Ｉ／Ｆ）９０、９４およびコネクタ９２、９６を介して接続される記録媒体２００、２１０に書き込まれる。
【００５５】
記録媒体２００、２１０は、メモリカードやハードディスク等の記録媒体である。この記録媒体２００及び２１０は、それぞれ、半導体メモリや磁気ディスク等から構成される記録部２０２及び２１２、カメラ本体１００とのインタフェース２０４及び２１４、カメラ本体１００と接続を行うコネクタ２０６及び２１６を備えている。
【００５６】
なお、本実施の形態では、２つの記録媒体２００、２１０を装着可能に構成しているが、これに限定されることはなく、１つまたは３つ以上の記録媒体を装着可能に構成しても良い。
【００５７】
なお、本実施の形態における撮像装置として、レンズ交換式の一眼レフタイプのデジタルカメラであるものとして説明したが、レンズや鏡筒が本体と一体化されたカメラであってもよい。
【００５８】
●メカニカルシャッタの構成
次に、メカニカルシャッタ１２の構成について図２〜図５を参照しながら説明する。図２〜図５は、いずれもメカニカルシャッタ１２がカメラ本体１００に組み込まれた状態において、被写体側から見た略左半分を示した平面図である。図２はオーバーチャージ状態、すなわち、後述するチャージレバーによって先幕と後幕がチャージされた状態を示している。また、図３は後述するヨークとコイルによって先幕と後幕が電力にて初期位置に保持されている走行前待機状態、図４は先幕走行完了状態、図５は後幕走行完了状態を示している。
【００５９】
図２〜図５において、１はシャッタ地板であり、先幕羽根群２ａおよび後幕羽根群６ａ（図５）の駆動機構を構成する各部品が取り付けられている。１ａは被写体光束が通過するアパーチャであり、シャッタ地板１に形成されている。
【００６０】
シャッタ地板１の表面に設けられた先幕軸１ｂには、先幕駆動レバー（駆動部材）２が回動可能に支持されている。先幕軸１ｂの外周にはねじりコイルバネ（不図示）が配置されており、このねじりコイルバネは先幕駆動レバー２を図２中の時計回り方向（先幕羽根群２ａを走行させる方向）に付勢している。
【００６１】
先幕駆動レバー２の先端部には先幕駆動ピン（不図示）が形成されており、先幕駆動ピンはシャッタ地板１に形成された先幕溝部１ｃを貫通して不図示の先幕駆動アームと係合している。先幕駆動アームは、リンク機構を介して先幕羽根群２ａと連結している。先幕羽根群２ａは複数のシャッタ羽根で構成されている。
【００６２】
先幕駆動レバー２の回動によって先幕駆動ピンが先幕溝部１ｃに沿って移動すると、先幕駆動アームが回動して先幕羽根群２ａを展開させたり、重畳させたりする。なお、先幕駆動レバー２は、先幕溝部１ｃによって回動範囲が制限されている。
【００６３】
また、先幕駆動レバー２には先幕アマチャ支持部２ｂが設けられている。先幕アマチャ支持部２ｂに形成された不図示の貫通孔部には、貫通孔部の内径よりも大きなフランジ部を有し、先幕アマチャ３に対して一体的に取り付けられた先幕アマチャ軸３ａが係合している。先幕アマチャ軸３ａは、先幕アマチャ３の吸着面に対して略直交方向に延びている。
【００６４】
先幕アマチャ３と先幕アマチャ支持部２ｂの間であって、先幕アマチャ軸３ａの外周には、圧縮バネ（不図示）が配置されており、先幕アマチャ３およびアマチャ支持部２ｂを互いに離す方向（図２の上下方向）に付勢している。
【００６５】
３ｂは弾性変形可能な先幕衝撃吸収ゴム（衝撃吸収部材）であり、先幕アマチャ支持部２ｂと先幕アマチャ軸３ａとの間であって、先幕アマチャ軸３ａの長手方向と略直交する面内に配置されている。先幕衝撃吸収ゴム３ｂは、オーバーチャージ状態（第１の状態）から走行開始状態（第２の状態）に移行する際に先幕アマチャ支持部２ｂが先幕アマチャ軸３ａに直接突き当たるのを阻止し、弾性変形する。これにより先幕アマチャ支持部２ｂから先幕アマチャ軸３ａに加わる衝撃を吸収する。
【００６６】
４は先幕ヨーク（電磁部材）、５は先幕ヨーク４の外周に設けられた先幕コイル（電磁部材）である。先幕コイル５に電圧を印加すると、先幕ヨーク４に磁力を発生させることができ、この磁力によって先幕アマチャ３を吸着することができる。
【００６７】
シャッタ地板１の表面に設けられた後幕軸１ｄには、後幕駆動レバー（駆動部材）６が回動可能に支持されている。後幕軸１ｄの外周にはねじりコイルバネ（不図示）が配置されており、このねじりコイルバネは後幕駆動レバー６を図２中の時計回り方向（後幕羽根群を走行させる方向）に付勢している。
【００６８】
後幕駆動レバー６の先端部には後幕駆動ピン（不図示）が形成されており、後幕駆動ピンはシャッタ地板１に形成された後幕溝部１ｅを貫通して不図示の後幕駆動アームと係合している。後幕駆動アームは、リンク機構を介して後幕羽根群６ａ（図２〜４では重畳状態にある）と連結している。後幕羽根群６ａは複数のシャッタ羽根で構成されている。
【００６９】
後幕駆動レバー６の回動によって後幕駆動ピンが後幕溝部１ｅに沿って移動すると、後幕駆動アームが回動して後幕羽根群６ａを展開させたり、重畳させたりする。上述した先幕羽根群２ａの動作と、この後幕羽根群６ａの動作とによって、アパーチャ１ａを開き状態（被写体光束を通過させる状態）にしたり、閉じ状態（被写体光束を概ね遮断する状態）にしたりすることができる。なお、後幕駆動レバー６は、後幕溝部１ｅによって回動範囲が制限されている。
【００７０】
また、後幕駆動レバー６には後幕アマチャ支持部６ｂが設けられている。後幕アマチャ支持部６ｂに形成された不図示の貫通孔部には、貫通孔部の内径よりも大きなフランジ部を有し、後幕アマチャ７に対して一体的に取り付けられた後幕アマチャ軸７ａが係合している。後幕アマチャ軸７ａは、後幕アマチャ７の吸着面に対して略直交方向に延びている。
【００７１】
後幕アマチャ７と後幕アマチャ支持部６ｂの間であって、後幕アマチャ軸７ａの外周には、圧縮バネ（不図示）が配置されており、後幕アマチャ７および後幕アマチャ支持部６ｂを互いに離す方向（図２の上下方向）に付勢している。
【００７２】
７ｂは弾性変形可能な後幕衝撃吸収ゴムであり、後幕アマチャ支持部６ｂと後幕アマチャ軸７ａとの間であって、後幕アマチャ軸７ａの長手方向と略直交する面内に配置されている。後幕衝撃吸収ゴム７ｂは、オーバーチャージ状態から走行開始状態に移行する際に後幕アマチャ支持部６ｂが後幕アマチャ軸７ａに直接突き当たるのを阻止し、弾性変形することによって後幕アマチャ支持部６ｂから後幕アマチャ軸７ａに加わる衝撃を吸収する。
【００７３】
８は後幕ヨーク（電磁部材）、９は後幕ヨーク８の外周に設けられた後幕コイル（電磁部材）である。後幕コイル９に電圧を印加すると、後幕ヨーク８に磁力を発生させることができ、この磁力によって後幕アマチャ７を吸着することができる。
【００７４】
１０はチャージレバーであり、シャッタ地板１に設けられたチャージレバー軸１ｆによって回動可能に支持されている。チャージレバー１０は、チャージピン１０ａを介して不図示の駆動レバー部材に連結されており、この駆動レバー部材は駆動源からの駆動力を受けて回動する。
【００７５】
チャージレバー１０に形成されたカム部１０ｂは、チャージレバー１０の回動に応じて、先幕駆動レバー２に設けられた先幕チャージコロ２ｃに当接して、先幕駆動レバー２を回動させる。具体的には、チャージレバー１０のカム部１０ｂは、図４に示すように先幕羽根群２ａの走行を完了させた状態にある（先幕羽根群２ａを重畳状態とさせたときの）先幕駆動レバー２を、反時計回り方向に回動させる。これによって、図３に示す走行前待機状態を経て、図２に示すオーバーチャージ状態にする。
【００７６】
チャージレバー１０に形成されたカム部１０ｃは、チャージレバー１０の回動に応じて、後幕駆動レバー６に設けられた後幕チャージコロ６ｃに当接して、後幕駆動レバー６を回動させる。具体的には、チャージレバー１０のカム部１０ｃは、図５に示すように後幕羽根群６ａの走行を完了させた状態にある（後幕羽根群６ａを展開状態とさせたときの）後幕駆動レバー６を、反時計回り方向に回動させる。これによって、図３に示す走行前待機状態を経て、図２に示すオーバーチャージ状態にする。
【００７７】
＜第１の実施形態＞
次に、本発明の第１の実施形態について説明する。第１の実施形態では、上記構成を有する撮像システムにおける、撮影を行う際のメカニカルシャッタ１２及び撮像素子１４の画素のリセット走査（電子先幕）の制御について、図６のフローチャートに沿って説明する。なお、この制御は、システム制御回路５０からの指示に基づいて、シャッタ制御部４０がメカニカルシャッタ１２を制御すると共に、タイミング発生回路１８が撮像素子１４を制御することにより行われる。
【００７８】
●電子ビューファインダ（ＥＶＦ）。
操作部７０に含まれるＥＶＦボタンが押されると、クイックリターンミラー１３０のアップ動作を行い、先幕コイル５、後幕コイル９への通電を開始するとともに、チャージレバー１０が反時計回りに回転する。すると、チャージレバー１０のカム部１０ｂ、１０ｃから、先幕チャージコロ２ｃ、後幕チャージコロ６ｃが離れ、図３に示す走行前待機状態へと移行する。次に先幕コイルの通電をオフすることで、メカニカルシャッタ１２は、アパーチャ１ａが開いて撮像素子１４へ被写体光を導く状態（図４の状態）になり、画像表示部２８を用いてＥＶＦを開始する。
【００７９】
ＥＶＦを開始してから電圧切替時間Ｔ０経過後に後幕コイルの電圧を高電圧から低電圧へと降圧する（図７または図１４）。電圧切替時間Ｔ０を設定せずに先幕走行と同時に後幕コイル９の電圧を低電圧駆動にすると、先幕羽根群２ａの走行完了時の衝撃で後幕アマチャ７と後幕ヨーク８が離反してしまうおそれがあるため、電圧切替時間Ｔ０が必要になる。
【００８０】
●通常撮影
まず、ＥＶＦを用いずに、光学ファインダ１０４で被写体を観察しながら撮影する場合（通常撮影）のメカニカルシャッタ１２の動作について、図２〜図６、図１２、図１３を参照して説明する。
【００８１】
シャッタスイッチ６２が押されると、図６のステップＳ１１において、ＥＶＦ実行中であるかどうかを判断する。ＥＶＦ実行中でなければ（ステップＳ１１でＮＯ）、通常撮影が行われる。
【００８２】
通常撮影では図２の状態でシャッタスイッチ６２が押されているので、クイックリターンミラー１３０のアップ動作を行い、先幕コイル５、後幕コイル９への通電を開始するとともに、チャージレバー１０が反時計回りに回転する。すると、チャージレバー１０のカム部１０ｂ、１０ｃから、先幕チャージコロ２ｃ、後幕チャージコロ６ｃが離れ、図３に示す走行前待機状態へと移行する。図３に示すように、先幕アマチャ３と後幕アマチャ７は電磁的に吸着保持されているため、先幕駆動レバー２と後幕駆動レバー６は回転しない。
【００８３】
先幕コイル５の通電をオフにして、先幕羽根群２ａを走行させてアパーチャ１ａを開く（ステップＳ２１）。その後、操作部７０によって設定されたシャッタ秒時に対応する時間間隔Ｔ１経過後（ステップＳ１５でＹＥＳ）、後幕コイル９の通電をオフすることにより後幕羽根群６ａを走行してアパーチャ１ａを遮蔽する（ステップＳ１６）。このとき、設定されたシャッタ秒時が高速秒時（例えば１／８０００秒等）は（ステップＳ２２でＹＥＳ）、図１２に示すように後幕コイル９の通電を高電圧から直接オフする。
【００８４】
一方、設定されたシャッタ秒時が遅い時（例えば１秒等）は（ステップＳ２２でＮＯ）、図１３に示すように、後幕コイル９の電圧を先幕コイル５への通電オフから電圧切替時間Ｔ０後に高電圧から低電圧へと降圧する（ステップＳ２３）。そして更にシャッタ秒時に対応する時間Ｔ１経過後に（ステップＳ１５でＹＥＳ）、電圧をオフする（ステップＳ１６）。
【００８５】
なお、ステップＳ２２における高速秒時かどうかの判断は、予め設定されたシャッタ秒時よりも速いか遅いかを判断すれば良く、１／８０００秒や１秒に限られるものではない。また、判断に用いる予め設定しておくシャッタ秒時は、後幕コイル９へ供給する電圧の違いによるアマチャとヨークが離反するまでのタイムラグの大きさの差を鑑みて適宜設定すればよい。
【００８６】
その後、チャージレバー１０を時計回りに回転させ、カム部１０ｂ、１０ｃが先幕チャージコロ２ｃ、後幕チャージコロ６ｃを押す（以下、「チャージ動作」と呼ぶ。）ことで、図２のオーバーチャージ状態に戻る。
【００８７】
●ＥＶＦ実行中の撮影
次に、ＥＶＦ実行中にハイブリッドシャッタ撮影を行う際のメカニカルシャッタ１２及び電子先幕の制御について、図２〜図７、図１４を参照して説明する。
【００８８】
シャッタスイッチ６２が押されると、ステップＳ１１において、ＥＶＦ実行中であるかどうかを判断する。ここではＥＶＦ実行中であるので（ステップＳ１１でＹＥＳ）、ステップＳ１２において、設定されたシャッタ秒時が高速秒時（例えば１／８０００秒等）であるかどうかを判断する。なお、高速秒時かどうかの判断は、予め設定されたシャッタ秒時よりも速いか遅いかを判断すれば良く、１／８０００秒に限られるものではない。また、判断に用いる予め設定しておくシャッタ秒時は、後幕コイル９へ供給する電圧の違いによるアマチャとヨークが離反するまでのタイムラグの大きさの差を鑑みて適宜設定すればよい。
【００８９】
設定されたシャッタ秒時が高速秒時（例えば１／８０００秒等）であれば（ステップＳ１２でＹＥＳ）、図７に示すように、後幕コイル９の通電電圧を高電圧へと昇圧した後（ステップＳ１３）、電子先幕による画素のリセットを行う（ステップＳ１４）。そして、設定されたシャッタ秒時に対応する時間Ｔ１経過後に（ステップＳ１５でＹＥＳ）、電圧をオフにする（ステップＳ１６）。
【００９０】
一方、設定されたシャッタ秒時が遅い場合（例えば１秒等）（ステップＳ１２でＮＯ）、図１４に示すように、設定されたシャッタ秒時に対応する時間Ｔ１経過後（ステップＳ１５でＹＥＳ）、後幕コイルの電圧を低電圧状態から直接オフする（ステップＳ１６）。
【００９１】
後幕コイル９の通電がオフされると後幕羽根群６ａが走行し、アパーチャ１ａを遮蔽した図５の状態へと移行する。
【００９２】
その後、通常撮影時と同様のチャージ動作を行って、図２のオーバーチャージ状態に戻る。
【００９３】
上述したように、１／８０００秒等の高速秒時撮影において、通常撮影時には図１２に示した電圧制御を行い、ＥＶＦ実行中の撮影時には図７に示した電圧制御を行う。ここで、図７、図１２のＴ１が１／８０００秒等のシャッタ秒時に対応し、ＥＶＦ実行中の撮影時のみ、電圧上昇動作を行う。
【００９４】
また、１秒等の低速秒時撮影では、通常撮影時には図１３に示した電圧制御を行い、ＥＶＦ実行中の撮影時には図１４に示したタイムチャートを使用する。低速秒時も高速秒時と同様に、図１３、図１４のＴ１が１秒等のシャッタ秒時に対応する。低速秒時においては、前述のように、低電圧状態から電圧カットしても切りムラが問題とならないため、電圧上昇動作は行わない。
【００９５】
＜第２の実施形態＞
次に、本発明の第２の実施形態について説明する。
【００９６】
第２の実施形態では、ＥＶＦ実行中に高速秒時で撮影を行う場合に後幕コイル９の通電をオフした際の後幕アマチャ７と後幕ヨーク８が離反するまでのシャッタタイムラグを考慮した制御を行う。以下、図８のフローチャートに沿って説明する。なお、通常撮影時の制御は、第１の実施形態と同様であるので、図８のフローチャートにおいて同じ参照番号を付して、説明を省略する。
【００９７】
●ＥＶＦ実行中の撮影
次に、ＥＶＦ実行中にハイブリッドシャッタ撮影を行う際のメカニカルシャッタ１２及び電子先幕の制御について、図２〜図５、図８、図９、図１５を参照して説明する。
【００９８】
シャッタスイッチ６２が押されると、図８のステップＳ１１において、ＥＶＦ実行中であるかどうかを判断する。ここではＥＶＦ実行中であるので（ステップＳ１１でＹＥＳ）、ステップＳ１２において、設定されたシャッタ秒時が高速秒時（例えば１／８０００秒等）であるかどうかを判断する。
【００９９】
設定されたシャッタ秒時が高速秒時（例えば１／８０００秒等）であれば（ステップＳ１２でＹＥＳ）、図９に示すように、シャッタ秒時に対応する時間間隔Ｔ１に補正時間Ｔ２を加えて新たなシャッタ秒時とする（ステップＳ３１）。この補正時間Ｔ２は高電圧状態で後幕コイル９の通電をオフした際の後幕アマチャ７と後幕ヨーク８が離反するまでのタイムラグ（図１５のＴＨ）と、低電圧状態で後幕コイル９の通電をオフした際のタイムラグ（図１５のＴＬ）との差で求められる。
【０１００】
そして、電子先幕による画素のリセットを行い（ステップＳ１４）、ステップＳ３１で設定された時間（Ｔ１＋Ｔ２）経過後に（ステップＳ１５でＹＥＳ）、電圧をオフにする（ステップＳ１６）。
【０１０１】
後幕コイル９の通電がオフされると後幕羽根群６ａが走行し、アパーチャ１ａを遮蔽した図５の状態へと移行する。
【０１０２】
その後、第１の実施形態で説明したチャージ動作を行って、図２のオーバーチャージ状態に戻る。
【０１０３】
一方、設定されたシャッタ秒時が遅い場合（例えば１秒等）は、第１の実施形態で上述した処理と同様であるため、ここでは説明を省略する。
【０１０４】
また、ＥＶＦ機能の継続時間が長いと、後幕コイル９が発熱し、後幕コイル９の抵抗が上昇する。抵抗が上昇すると、後幕コイル９に流れる電流が減少してしまうため、後幕アマチャ７と後幕ヨーク８が離反するタイムラグが更に早くなってしまう。つまり、ＥＶＦ機能を継続する時間が長くなると、その時間に応じて、後幕アマチャ７と後幕ヨーク８が離反するタイムラグが変化してしまう。
【０１０５】
そこで、図１０に示すように、補正時間Ｔ２をＥＶＦ機能を継続した時間に応じて変化させることで、精度を維持することが可能となる。あるいは、図示しない後幕コイル温度計測手段を用いて、図１１に示すように後幕コイル９の温度に応じて補正時間Ｔ２を変化させても良い。
【０１０６】
上述したように、１／８０００秒等の高速秒時撮影において、通常撮影時には図１２に示した電圧制御を行い、ＥＶＦ実行中の撮影時には図９に示した電圧制御を行う。ここで、図９、図１２のＴ１が１／８０００秒等のシャッタ秒時に対応し、ＥＶＦ実行中の撮影時は通常撮影の制御時間に対して補正値を設ける。
【０１０７】
また、１秒等の低速秒時撮影では、通常撮影時には図１３に示した電圧制御を行い、ＥＶＦ実行中の撮影時には図１４に示したタイムチャートを使用し、Ｔ１が１秒等のシャッタ秒時に対応する。このように、低速秒時撮影では、通常撮影時とＥＶＦ実行中の撮影時における通電電圧の差はないため、補正動作は行わない。
【図面の簡単な説明】
【０１０８】
【図１】本発明の実施の形態における撮像装置の構成を示すブロック図である。
【図２】本発明の実施の形態におけるフォーカルプレーンシャッタのチャージ完了状態を示す平面図である。
【図３】本発明の実施の形態におけるフォーカルプレーンシャッタの走行前待機状態を示す平面図である。
【図４】本発明の実施の形態におけるフォーカルプレーンシャッタの先幕走行完了状態を示す平面図である。
【図５】本発明の実施の形態におけるフォーカルプレーンシャッタの後幕走行完了状態を示す平面図である。
【図６】本発明の第１の実施形態におけるシャッタ制御を説明するためのフローチャートである。
【図７】本発明の第１の実施形態におけるＥＶＦ実行中のフォーカルプレーンシャッタの高速秒時の電圧制御を示すタイムチャートである。
【図８】本発明の第２の実施形態におけるシャッタ制御を説明するためのフローチャートである。
【図９】本発明の第２の実施形態におけるＥＶＦ実行中のフォーカルプレーンシャッタの高速秒時の電圧制御を示すタイムチャートである。
【図１０】本発明の第２の実施形態におけるＥＶＦ機能の継続時間に対するフォーカルプレーンシャッタの補正時間の変化を示すグラフである。
【図１１】本発明の第２の実施形態における後幕コイル温度に対するフォーカルプレーンシャッタの補正時間の変化を示すグラフである。
【図１２】従来の通常撮影時のフォーカルプレーンシャッタの電圧制御を示すタイムチャートである。
【図１３】従来の通常撮影時のフォーカルプレーンシャッタの別の電圧制御を示すタイムチャートである。
【図１４】フォーカルプレーンシャッタにおいてＥＶＦ実行中に撮影を行った際の電圧制御の一例を示すタイムチャートである。
【図１５】従来のコイル電圧の差によるアマチャ・ヨークの離反タイミングの違いを表すタイムチャートである。
【符号の説明】
【０１０９】
１：シャッタ地板、１ａ：アパーチャ、１ｂ：先幕軸、１ｃ：先幕溝部、１ｄ：後幕軸、１ｅ：後幕溝部、１ｆ：チャージレバー軸、２：先幕駆動レバー、２ａ：先幕羽根群、２ｂ：先幕アマチャ支持部、２ｃ：先幕チャージコロ、３：先幕アマチャ、３ａ：先幕アマチャ軸、３ｂ：先幕衝撃吸収ゴム、４：先幕ヨーク、５：先幕コイル、６：後幕駆動レバー、６ａ：後幕羽根群、６ｂ：後幕アマチャ支持部、６ｃ：後幕チャージコロ、７：後幕アマチャ、７ａ：後幕アマチャ軸、７ｂ：後幕衝撃吸収ゴム、８：後幕ヨーク、９：後幕コイル、１０：チャージレバー、１０ａ：チャージピン、１０ｂ、１０ｃ：カム部、１２：シャッタ、１４：撮像素子、１６：Ａ／Ｄ変換器、１８：タイミング発生回路、２０：画像処理回路、２２：メモリ制御回路、２４：画像表示メモリ、２６：Ｄ／Ａ変換器、２８：画像表示部、３０：メモリ、３２：圧縮伸長回路、４０：シャッタ制御部、４２：焦点調節部、４６：測光制御部、４８：フラッシュ、５０：システム制御回路、５２：メモリ、５４：通知部、５６：不揮発性メモリ、６０：モードダイアルスイッチ、６２：シャッタスイッチ、７０：操作部、８０：電源制御部、８２、８４：コネクタ、８６：電源、９０、９４：Ｉ／Ｆ、９２、９６：コネクタ、９８：記録媒体着脱検知部、１００：撮像装置、１０４：光学ファインダ、１０６：カメラマウント、１１０：Ｉ／Ｆ、１１２：コネクタ、１２２、３２２：信号接点、１２４：レンズ着脱検知回路、１３０、１３２：ミラー、２００、２１０：記録媒体、２０２、２１２：記録部、２０４、２１４：Ｉ／Ｆ、２０６、２１６：コネクタ、３００：レンズユニット、３１０：光学レンズ、３１２：絞り、３０６：レンズマウント、３２０：Ｉ／Ｆ、３４０：絞り制御部、３４２：フォーカス制御部、３５０：レンズシステム制御部
【図１】
2008158087.tif 000003
【図２】
2008158087.tif 000004
【図３】
2008158087.tif 000005
【図４】
2008158087.tif 000006
【図５】
2008158087.tif 000007
【図６】
2008158087.tif 000008
【図７】
2008158087.tif 000009
【図８】
2008158087.tif 000010
【図９】
2008158087.tif 000011
【図１０】
2008158087.tif 000012
【図１１】
2008158087.tif 000013
【図１２】
2008158087.tif 000014
【図１３】
2008158087.tif 000015
【図１４】
2008158087.tif 000016
【図１５】
2008158087.tif 000017